(57)【要約】【課題】毛髪のカールのくせ付けのばらつきを抑制できるヘアーアイロンを提供する。【解決手段】第１の方向と第２の方向とに回転可能に設けられ、毛髪を挟むと共に加熱するアイロン部５０と、アイロン部５０を第１の方向と第２の方向とに回転させるモータ２２と、アイロン部５０を第１の方向と第２の方向とに回転させる指令を入力するために操作される操作部２８１と、第１の回転モードと第２の回転モードとに設定する指令を入力するために操作される操作部３０１と、操作部２８１と操作部３０１との操作に応じてモータ２２を制御する制御部とを備え、制御部は、第１の回転モードに設定する指令が入力された場合に、操作部２８１の操作時間に応じた回転量だけアイロン部５０が回転し、第２の回転モードに設定する指令が入力された場合に、予め決められた第１の回転量だけアイロン部５０が回転するようにモータ２２を制御する。【選択図】図１
2019076179.tif 000002
【特許請求の範囲】
【請求項１】
第１の方向と前記第１の方向の逆方向である第２の方向とに回転可能に設けられ、毛髪を挟むと共に加熱するアイロン部と、
前記アイロン部を前記第１の方向と前記第２の方向とに回転させるモータと、
前記アイロン部を前記第１の方向に回転させる指令と前記アイロン部を前記第２の方向に回転させる指令とを入力するために操作される回転操作部と、
第１の回転モードに設定する指令と第２の回転モードに設定する指令とを入力するために操作されるモード設定操作部と、
前記回転操作部と前記モード設定操作部との操作に応じて前記モータを制御する制御部と
を備え、
前記制御部は、前記第１の回転モードに設定する指令が入力された場合に、前記回転操作部の操作時間に応じた回転量だけ前記アイロン部が回転し、前記第２の回転モードに設定する指令が入力された場合に、予め決められた第１の回転量だけ前記アイロン部が回転するように、前記モータを制御するヘアーアイロン。
【請求項２】
請求項１に記載のヘアーアイロンであって、
前記モード設定操作部は、第３の回転モードに設定する指令を入力するために操作され、
前記制御部は、前記第３の回転モードに設定する指令が入力された場合に、前記第１の回転量よりも多い第２の回転量だけ前記アイロン部が回転するように、前記モータを制御するヘアーアイロン。
【発明の詳細な説明】
【技術分野】
【０００１】
本発明は、ヘアーアイロンに関する。
【背景技術】
【０００２】
ヘアーアイロンとして、内部に正逆回転可能な電動モータが設けられたハンドルと、このハンドルの先端に連結された回転アイロン部とを備える自動巻きヘアーアイロンが知られている（例えば、特許文献１参照）。
【先行技術文献】
【特許文献】
【０００３】
【特許文献１】特開２０１４−２２６５６５号公報
【発明の概要】
【発明が解決しようとする課題】
【０００４】
自動巻きヘアーアイロンの使用者は、毛髪を複数の毛束に分けて毛束毎に毛髪のカールのくせ付けを行う。この際、使用者は、毛髪のカールのくせ付けが毛束間でばらつかないようにする必要がある。
【０００５】
本発明が解決しようとする課題は、毛髪のカールのくせ付けのばらつきを抑制できるヘアーアイロンを提供することである。
【課題を解決するための手段】
【０００６】
本発明は、第１の方向と前記第１の方向の逆方向である第２の方向とに回転可能に設けられ、毛髪を挟むと共に加熱するアイロン部と、前記アイロン部を前記第１の方向と前記第２の方向とに回転させるモータと、前記アイロン部を前記第１の方向に回転させる指令と前記アイロン部を前記第２の方向に回転させる指令とを入力するために操作される回転操作部と、第１の回転モードに設定する指令と第２の回転モードに設定する指令とを入力するために操作されるモード設定操作部と、前記回転操作部と前記モード設定操作部との操作に応じて前記モータを制御する制御部とを備え、前記制御部は、前記第１の回転モードに設定する指令が入力された場合に、前記回転操作部の操作時間に応じた回転量だけ前記アイロン部が回転し、前記第２の回転モードに設定する指令が入力された場合に、予め決められた第１の回転量だけ前記アイロン部が回転するように、前記モータを制御する。
【発明の効果】
【０００７】
本発明によれば、毛束間での毛髪のカールのくせ付けのばらつきを抑制できる。
【図面の簡単な説明】
【０００８】
【図１】図１は、本発明の一実施形態に係るヘアーアイロンを示す斜視図である。
【図２】図２は、図１の保持部とアイロン部との連結部を示す断面図である。である。
【図３】図３は、図１のアイロン部を示す断面図である。
【図４】図４は、本実施形態に係るヘアーアイロンの概略構成を示すブロック図である。
【図５】図５は、本実施形態に係るヘアーアイロンの駆動制御を説明するためのフローチャートである。
【図６】図６は、本実施形態のヘアーアイロンを用いて毛髪にくせ付けする方法を説明するための斜視図である。
【図７】図７は、本実施形態のヘアーアイロンを用いて毛髪にくせ付けする方法を説明するための斜視図である。
【発明を実施するための形態】
【０００９】
以下、図面を参照して本発明の一実施形態に係るヘアーアイロン１０について説明する。なお、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本発明の一実施形態に係るヘアーアイロン１０を示す斜視図である。この図に示すヘアーアイロン１０は、アイロン部５０がモータ２２（図２参照）により回動される自動巻き式のヘアーアイロンである。このヘアーアイロン１０は、保持部２０とアイロン部５０とを備える。保持部２０とアイロン部５０とは、共に棒状に構成されている。また、保持部２０とアイロン部５０とは、相互に同軸的に配されている。さらに、アイロン部５０の軸方向一端（以下、基端という）が、保持部２０の軸方向一端（以下、先端という）に対して、保持部２０の軸心の回りに回転可能に取付けられている。ここで、アイロン部５０は、保持部２０に対して相対的に図中右回り方向（先端から見て時計回り方向）および図中左回り方向（先端から見て反時計回り方向）に回転可能である。
【００１１】
保持部２０のハウジング２１の軸方向他端（以下、基端という）には、電源コード２４が接続されている。また、ハウジング２１には、電源／温度切替スイッチ２６と、回転スイッチ２８と、回転モード選択スイッチ３０とが設けられている。なお、電源コード２４を保持部２０の基端に接続し商用電源をヘアーアイロン１０に供給することは必須ではなく、保持部２０に電池を内蔵してコードレス式のヘアーアイロン１０としてもよい。
【００１２】
電源／温度切替スイッチ２６は、保持部２０の軸方向中央に設けられている。この電源／温度切替スイッチ２６は、電源のＯＮ／ＯＦＦの切替と、アイロン部５０のヒータ５６（図３及び図４参照）の温度の切替とを行うためのスイッチである。電源／温度切替スイッチ２６は、操作部２６１と、操作検出器２６２（図４参照）とを備える。操作部２６１は、保持部２０の軸方向にスライド可能に設けられている。操作部２６１が最も手前側（使用者側）の位置（以下、ＯＦＦ位置という）に位置する場合、ヒータ５６がＯＦＦになり、操作部２６１がＯＦＦ位置から奥側に移動されると、まず、ヒータ５６がＯＮになり、次に、ヒータ５６が昇温される。なお、ヒータ５６の温度は、段階的に昇降されてもよく、連続的（無段階的）に昇降されてもよい。
【００１３】
回転スイッチ２８は、操作部２８１と、操作検出器２８２（図４参照）とを備える。この回転スイッチ２８は、アイロン部５０を図中右回り方向または図中左回り方向に回転させるためのスイッチである。操作部２８１は、保持部２０の先端に設けられている。この操作部２８１は、左右にスライドするレバーである。なお、本実施形態では、電源／温度切替スイッチ２６の左右方向中心と操作部２８１の左右方向中心とが、保持部２０の軸心に対して平行な同一の直線上に配されている。
【００１４】
回転モード選択スイッチ３０は、電源／温度切替スイッチ２６と回転スイッチ２８との間に設けられている。この回転モード選択スイッチ３０は、操作部３０１と、操作検出器３０２（図４参照）とを備える。回転モード選択スイッチ３０は、アイロン部５０の回転モードを選択するためのスイッチである。
【００１５】
ここで、アイロン部５０の回転モードには、マニュアルモードと自動モードとが含まれる。マニュアルモードは、回転スイッチ２８が操作されている間、アイロン部５０が継続的に回転するモードである。一方、自動モードは、回転スイッチ２８が操作されると、アイロン部５０が所定の回転量だけ回転するモードである。さらに、自動モードとしては、アイロン部５０が第１の回転量だけ回転する第１の自動モードと、アイロン部５０が第１の回転量よりも多い第２の回転量だけ回転する第２の自動モードとが含まれる。なお、アイロン部５０が第２の回転量よりも多い第３の回転量だけ回転する第３の自動モードを選択可能としてもよい。
【００１６】
図２は、図１の保持部２０とアイロン部５０との連結部を示す断面図である。この図に示すように、保持部２０は、円筒状のハウジング２１を備える。このハウジング２１は、モータ２２と制御装置４０（図４参照）とを収容している。モータ２２は、ハウジング２１の先端の近傍に配されている。このモータ２２の出力軸２２１は、ハウジング２１の軸心と同軸で配され、モータ本体２２２からアイロン部５０側に延びている。
【００１７】
アイロン部５０の基端にはロータ２３が配され、アイロン部５０のハウジング５１に固定されている。ロータ２３の回転中心には、モータ２２の出力軸２２１が相対的に回転不能に嵌合する嵌合孔２３１が形成されている。これにより、モータ２２の駆動によりロータ２３およびアイロン部５０が回転する。
【００１８】
図１に示すように、アイロン部５０は、棒状のハウジング５１を備える。ハウジング５１の外周形状は、円柱状である。このハウジング５１には、その先端から軸方向中間部まで延びるスリット５１１が形成されている。このスリット５１１は、ハウジング５１の先端から軸方向中間部までの部分を、図中上下の何れか一方（以下、第１ハウジング部という）５１Ａと図中上下の何れか他方（以下、第２ハウジング部という）５１Ｂとに二分している。
【００１９】
スリット５１１の幅は、基端から先端の近傍まで均一であり、先端において漸次的に広くなっている。ハウジング５１は、後述の加熱板５２、５３と比較して伝熱性が低い樹脂等の材料で構成されている。この材料としては、使用者が触っても熱さを感じない程度にヒータ５６（図３及び図４参照）や加熱板５２、５３の熱が伝わり難い材料が好ましい。また、この材料としては、耐熱性に優れた材料が好ましい。
【００２０】
図３は、アイロン部５０を示す断面図である。この図に示すように、ハウジング５１は、スリット５１１を挟んで対向する対向面５１２、５１３を備える。対向面５１２には、基端（スリット５１１の奥側の端部）から先端の近傍まで広がる矩形状の凹部５１２１が形成されている。対向面５１３には、基端から先端の近傍まで広がる矩形状の凹部５１３１が形成されている。
【００２１】
アイロン部５０は、加熱板５２及び加熱板５３と、加熱板ホルダ５４及び加熱板ホルダ５５と、ヒータ５６とを備える。加熱板５２は、加熱板ホルダ５４に固定されている。この加熱板ホルダ５４は、対向面５１２の凹部５１２１に配され、第１ハウジング部５１Ａに固定されている。ここで、加熱板５２は、対向面５１２よりも他方の対向面５１３側に位置している。
【００２２】
加熱板５３およびヒータ５６は、加熱板ホルダ５５に固定されている。この加熱板ホルダ５５は、対向面５１３の凹部５１３１に配されている。ヒータ５６は、加熱板５３の裏側に加熱板５３の裏面に接するように配されている。ここで、加熱板ホルダ５５は、他方の加熱板ホルダ５４に対して接近または離間する方向に変位可能に第２ハウジング部５１Ｂに設けられている。第２ハウジング部５１Ｂ内には、バネ５８が設けられている。このバネ５８は、例えば圧縮コイルバネであり、第２ハウジング部５１Ｂの内面と加熱板ホルダ５５の背面との間に配され、加熱板ホルダ５５を他方の加熱板ホルダ５４に向けて付勢している。これにより、加熱板５３が加熱板５２に圧接されている。
【００２３】
図４は、本実施形態に係るヘアーアイロン１０の概略構成を示すブロック図である。この図に示すように、回転スイッチ２８の操作検出器２８２が、操作部２８１の位置を検出して制御装置４０に出力する。制御装置４０は、操作検出器２８２から入力された検出信号に応じて、モータ２２に駆動信号を出力する。また、電源／温度切替スイッチ２６の操作検出器２６２が、操作部２６１の位置を検出して制御装置４０に出力する。制御装置４０は、操作検出器２６２から入力された検出信号に応じて、ヒータ５６のＯＮ／ＯＦＦ及び温度を制御する。さらに、回転モード選択スイッチ３０の操作検出器３０２が、操作部３０１の位置を検出して制御装置４０に出力する。制御装置４０は、操作検出器３０２から入力された検出信号に応じて、アイロン部５０の回転モードを設定する。
【００２４】
回転スイッチ２８０の操作検出器２８２により検出される操作部２８１の位置は、左側、中央、右側の３つの位置である。操作検出器２８２により操作部２８１が中央に位置することが検出された場合には、制御装置４０が、駆動信号をモータ２２に出力しない。操作検出器２８２により操作部２８１が使用者から見て左側に移動されたことが検出された場合には、制御装置４０が、アイロン部５０を使用者から見て左回り（アイロン部５０の先端側から見て時計回り）に回転させる駆動信号をモータ２２に出力する。一方、操作検出器２８２により操作部２８１が使用者から見て右側に移動されたことが検出された場合には、アイロン部５０を使用者から見て右回り（アイロン部５０の先端側から見て反時計回り）に回転させる駆動信号をモータ２２に出力する。
【００２５】
モータ２２は、ステッピングモータであり、制御装置４０から出力されるパルス数に応じた回転量だけ回転する。制御装置４０は、出力したパルス数に応じて、モータ２２の回転位置を演算する。
【００２６】
回転モード選択スイッチ３０の操作検出器３０２により検出される操作部３０１の位置は、マニュアルモードの選択位置と第１の自動モードの選択位置と第２の自動モードの選択位置との３つの位置である。操作検出器３０２により操作部３０１がマニュアルモード選択位置に位置することが検出された場合には、回転スイッチ２８の操作検出器２８２による検出信号の出力時間（パルス数）に応じて、モータ２２を制御する。一方、操作検出器３０２により操作部３０１が第１の自動モード選択位置に位置することが検出された場合には、予め決められた所定時間ｔ１（例えば、２〜５秒）に対応する回転量の駆動信号をモータ２２に出力する。また、操作検出器３０２により操作部３０１が第２の自動モード選択位置に位置することが検出された場合には、予め決められた所定時間ｔ２（＞ｔ１であり、例えば５〜１０秒）に対応する回転量の駆動信号をモータ２２に出力する。
【００２７】
制御装置４０は、マニュアルモード選択時に操作検出器２８２の検出信号が出力されている間、駆動信号をモータ２２に出力し続ける。マニュアルモード選択時に操作部２８１が左側に操作された場合に、アイロン部５０が、操作部２８１が操作されている時間だけ左回り（先端から見て時計回り）に回転し続ける。一方、マニュアルモード選択時に操作部２８１が右側に操作された場合に、アイロン部５０が、操作部２８１が操作されている時間だけ右回り（先端から見て反時計回り）に回転し続ける。
【００２８】
制御装置４０は、第１の自動モード選択時に操作検出器２８２の検出信号が出力されると所定時間ｔ１（例えば、２〜５秒）駆動信号をモータ２２に出力する。換言すると、制御装置４０は、第１の自動モード選択時に操作検出器２８２の検出信号が出力されると予め決められた第１の回転量だけ回転させる駆動信号をモータ２２に出力する。第１の自動モード選択時に操作部２８１が左側に操作された場合に、アイロン部５０が所定時間ｔ１だけ（第１の回転量だけ）左回り（先端から見て時計回り）に回転し続ける。一方、第１の自動モード選択時に操作部２８１が右側に操作された場合に、アイロン部５０が所定時間ｔ１だけ（第１の回転量だけ）右回り（先端から見て反時計回り）に回転し続ける。
【００２９】
制御装置４０は、第２の自動モード選択時に操作検出器２８２の検出信号が出力されると所定時間ｔ２（例えば、５〜１０秒）駆動信号をモータ２２に出力する。換言すると、制御装置４０は、第２の自動モード選択時に操作検出器２８２の検出信号が出力されると第１の回転量よりも多い第２の回転量だけ回転させる駆動信号をモータ２２に出力する。第２の自動モード選択時に操作部２８１が左側に操作された場合に、アイロン部５０が所定時間ｔ２だけ（第２の回転量だけ）左回り（先端から見て時計回り）に回転し続ける。一方、第２の自動モード選択時に操作部２８１が右側に操作された場合に、アイロン部５０が所定時間ｔ２だけ（第２の回転量だけ）右回り（先端から見て反時計回り）に回転し続ける。
【００３０】
図５は、本実施形態に係るヘアーアイロン１０の駆動制御を説明するためのフローチャートである。このフローチャートに示す処理は、電源／温度切替スイッチ２６の操作検出器２６２により電源のＯＮが検出されると開始される。まず、ステップ１において、制御装置４０は、回転スイッチ２８の操作検出器２８２により操作部２８１の操作が検出されたか否かを判定する。肯定判定がされた場合にはステップ２に進み、否定判定がされた場合にはステップ８に進む。
【００３１】
ステップ２において、制御装置４０は、回転モード選択スイッチ３０の操作検出器３０２により検出された操作部３０１の位置が、マニュアルモード選択位置であるか、自動モード選択位置であるかを判定する。マニュアルモード選択位置である場合にはステップ３に進み、自動モード選択位置である場合にはステップ１１に進む。
【００３２】
ステップ３において、制御装置４０は、操作検出器２８２により検出された操作部２８１の位置が左側であるか右側であるかを判定する。左側である場合にはステップ４に進み、右側である場合にはステップ５に進む。ステップ４において、制御装置４０は、アイロン部５０を時計回り（左回り）に回転させる駆動信号をモータ２２に出力する。一方、ステップ５において、制御装置４０は、アイロン部５０を半時計回り（右回り）に回転させる駆動信号をモータ２２に出力する。ステップ４、５からステップ６に進む。ステップ６において、制御装置４０は、操作検出器２８２による検出信号の出力が停止したか否かを判定する。肯定判定がされた場合にステップ７に進む。
【００３３】
一方、ステップ１１において、制御装置４０は、回転モード選択スイッチ３０の操作検出器３０２により検出された操作部３０１の位置が、第１の自動モード選択位置であるか、第２の自動モード選択位置であるかを判定する。第１の自動モード選択位置である場合にはステップ１２に進み、第２の自動モード選択位置である場合にはステップ２１に進む。
【００３４】
ステップ１２において、制御装置４０は、操作検出器２８２により検出された操作部２８１の位置が左側であるか右側であるかを判定する。左側である場合にはステップ１３に進み、右側である場合にはステップ１４に進む。ステップ１３において、制御装置４０は、アイロン部５０を所定時間ｔ１だけ（第１の回転量だけ）時計回り（左回り）に回転させる駆動信号をモータ２２に出力する。一方、ステップ１４において、制御装置４０は、アイロン部５０を所定時間ｔ１だけ（第１の回転量だけ）反時計回り（右回り）に回転させる駆動信号をモータ２２に出力する。ステップ１３、１４からステップ７に進む。
【００３５】
ステップ２１において、制御装置４０は、操作検出器２８２により検出された操作部２８１の位置が左側であるか右側であるかを判定する。左側である場合にはステップ２２に進み、右側である場合にはステップ２３に進む。ステップ２２において、制御装置４０は、アイロン部５０を所定時間ｔ２だけ（第２の回転量だけ）時計回り（左回り）に回転させる駆動信号をモータ２２に出力する。一方、ステップ２３において、制御装置４０は、アイロン部５０を所定時間ｔ２だけ（第２の回転量だけ）半時計回り（右回り）に回転させる駆動信号をモータ２２に出力する。ステップ２２、２３からステップ７に進む。
【００３６】
ステップ７において、制御装置４０は、モータ２２への駆動信号の出力を停止する。次に、ステップ８において、制御装置４０は、電源／温度切替スイッチ２６の操作検出器２６２により電源のＯＦＦが検出されたか否かを判定する。肯定判定がされた場合には本ルーチンの処理が終了する一方、否定判定がされた場合にはステップ１〜８、１１〜１４、２１〜２３の処理が繰り返される。
【００３７】
図６及び図７は、本実施形態のヘアーアイロン１０を用いて毛髪にくせ付けする方法を説明するための斜視図である。図６に示すように、スリット５１１に毛束が挿入されると、毛束が、バネ５８の付勢力により加熱板５２と加熱板５３とにより挟まれる。この状態で、ヘアーアイロン１０が毛束の先端側へ移動されると、毛髪にストレートのくせ付けが行われる。
【００３８】
図７に示すように、毛束がスリット５１１に斜めに挿入された状態で、回転スイッチ２８によってアイロン部５０が左右何れか一方に回転されると、毛束が、重なり合うことなくアイロン部５０の外周に斜めに巻き付けられる。アイロン部５０の回転が停止され毛束がアイロン部５０の外周に巻き付けられた状態が所定時間（例えば、３〜４秒）継続されると、毛髪にカールのくせ付けが行われる。
【００３９】
この際、マニュアルモードに設定されている場合には、使用者の回転スイッチ２８の操作時間に応じた回転量だけアイロン部５０が回転される。一方、自動モードに設定されている場合には、使用者の回転スイッチ２８の操作時間にかかわらず予め決められた回転量だけアイロン部５０が回転される。
【００４０】
以上説明したように、本実施形態に係るヘアーアイロン１０によれば、使用者の操作にかかわらず予め決められた回転量だけアイロン部５０を回転させることができる。それにより、毛束間での毛髪のカールのくせ付けのばらつきを抑制できる。また、本実施形態に係るヘアーアイロン１０によれば、使用者の操作にかかわらず回転するアイロン部５０の回転量を、使用者の髪の長さに応じて設定することができる。
【００４１】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。例えば、上述の実施形態では、アイロン部５０のハウジング５１にスリット５１１を形成し、このスリット５１１に一対の加熱板５２、５３を設け、これらの一対の加熱板５２、５３をバネ５８により圧接させた。しかしながら、アイロン部５０の構成は、上述の実施形態の構成に限られものではなく、例えば、開閉可能な一対のアームのそれぞれに加熱板５２、５３を設け、これらの一対の加熱板５２、５３を手動やバネにより圧接させる等してもよい。
【符号の説明】
【００４２】
１０、１００  ヘアーアイロン  ２０  保持部、２１  ハウジング、２２  モータ、２３ロータ、２４  電源コード、２６  電源／温度切替スイッチ、２８  回転スイッチ、３０  回転モード選択スイッチ、３０１  操作部、３０２  操作検出器、４０  制御装置、５０  アイロン部、５１  ハウジング、５１Ａ  第１ハウジング部、５１Ｂ  第２ハウジング部、５２  加熱板、５３  加熱板、５４  加熱板ホルダ、５５  加熱板ホルダ、５６  ヒータ、５８  バネ、２２１  出力軸、２２２  モータ本体、２３１  嵌合孔、２６１  操作部、２６２  操作検出器、２８１  操作部、２８２  操作検出器、５１１  スリット、５１２  対向面、５１２１  凹部、５１３  対向面、５１３１  凹部
【図１】
2019076179.tif 000003
【図２】
2019076179.tif 000004
【図３】
2019076179.tif 000005
【図４】
2019076179.tif 000006
【図５】
2019076179.tif 000007
【図６】
2019076179.tif 000008
【図７】
2019076179.tif 000009